(57)【要約】【課題】外光の存在する環境下であってもコントラストの高い表示を行うことが可能なエレクトロルミネッセンス装置、及び当該エレクトロルミネッセンス装置を搭載した電子機器を提供すること。【解決手段】本発明の有機ＥＬ装置１は、画素４０に対応して配置された発光素子７０を有する素子基板と、画素４０に対応して配置された赤、緑、青の色要素３４Ｒ，３４Ｇ，３４Ｂを有する封止基板とが接着剤２８を介して貼り合わされてなる。色要素３４は、着色のための材料として染料が用いられているため、平行線透過率が高く、外光の発光素子７０における反射光を散乱させにくい。ガラス基板３０上には、紫外線を吸収する保護フィルム３３が配置されており、色要素３４を紫外線から保護することができる。【選択図】図１
2007234301.tif 000002
【特許請求の範囲】
【請求項１】
少なくとも３種の異なる色のいずれかに対応する複数の画素を有するエレクトロルミネッセンス装置であって、
第１の基板と、
前記第１の基板上に形成された発光層及び当該発光層と前記第１の基板との間に形成された反射層を有する、前記第１の基板上に前記画素に対応して形成された複数の発光素子と、
前記第１の基板の前記発光素子が形成された面に対向して、接着剤を介して前記第１の基板と貼り合わされた透光性を有する第２の基板と、
前記第２の基板の対向面に前記画素に対応して形成された、前記画素に対応する色の染料を含む色要素と
を有することを特徴とするエレクトロルミネッセンス装置。
【請求項２】
請求項１に記載のエレクトロルミネッセンス装置であって、
前記第２の基板の前記色要素が形成された面とは反対側の面に、紫外線を吸収又は反射する保護層を有することを特徴とするエレクトロルミネッセンス装置。
【請求項３】
少なくとも３種の異なる色のいずれかに対応する複数の画素を有するエレクトロルミネッセンス装置であって、
第１の基板と、
前記第１の基板上に前記画素に対応して形成された、前記画素に対応する色の染料を含む色要素と、
前記色要素上に形成された反射層及び当該反射層と前記色要素との間に形成された発光層を有する、前記色要素上に前記画素に対応して形成された複数の発光素子と
を有することを特徴とするエレクトロルミネッセンス装置。
【請求項４】
請求項３に記載のエレクトロルミネッセンス装置であって、
前記第１の基板の前記色要素が形成された面とは反対側の面に、紫外線を吸収又は反射する保護層を有することを特徴とするエレクトロルミネッセンス装置。
【請求項５】
請求項１から４のいずれか一項に記載のエレクトロルミネッセンス装置であって、
前記発光素子は、前記発光層を挟んで前記反射層の反対側に配置された、光反射性及び光透過性を有するハーフミラーをさらに有し、前記発光層で発光した光を前記反射層と前記ハーフミラーとの間で共振させて前記画素の色に対応する色の光を前記ハーフミラー側から取り出す光共振器構造を有することを特徴とするエレクトロルミネッセンス装置。
【請求項６】
請求項１から５のいずれか一項に記載のエレクトロルミネッセンス装置であって、
前記少なくとも３種の異なる色は、赤系の色、緑系の色、青系の色の３色であることを特徴とするエレクトロルミネッセンス装置。
【請求項７】
請求項１から６のいずれか一項に記載のエレクトロルミネッセンス装置を搭載したことを特徴とする電子機器。
【発明の詳細な説明】
【技術分野】
【０００１】
本発明は、画素に対応して形成された発光素子と、当該発光素子の観察側に配置された色要素とを有する、カラー表示が可能なエレクトロルミネッセンス装置に関する。また、当該エレクトロルミネッセンス装置を搭載した電子機器に関する。
【背景技術】
【０００２】
上記構成のエレクトロルミネッセンス（以下「ＥＬ」とも略す）装置においては、発光素子で発光した光は、色要素を透過した後に観察側から射出される。ここで色要素とは、入射した光のうち特定の波長成分を吸収することによって透過光を所定の色（例えば赤、緑、青等）とすることが可能な物質であり、カラーフィルタとも呼ばれる。色要素の材料としては、耐光性、耐ガス性等に優れた顔料系材料が用いられるのが一般的である。発光素子の観察側に画素の色に対応した色の色要素が配置されていることによって、ＥＬ装置から取り出される光の色純度を向上させることができるとともに、視野角による色の変化を抑えることができ、また、外光の反射をある程度遮断することができる。
【０００３】
また、発光素子を光共振器構造とすることにより、当該発光素子から画素に対応する色の光を選択的に取り出すことが可能なＥＬ装置が特許文献１に開示されている。このようなＥＬ装置に上記の色要素を組み合わせれば、取り出される光の色純度をさらに向上させることができる。
【０００４】
【特許文献１】特開２００５−１１６５１６号公報
【発明の開示】
【発明が解決しようとする課題】
【０００５】
しかしながら、上記顔料系の色要素は、一方で光を散乱させやすいという特徴を有する。このため、外光の存在する環境下では、外光の発光素子における反射光が色要素で散乱されて観察者に視認され、表示の視認性が悪化したり、黒表示部の輝度が上がって表示のコントラストが低下するといった問題点があった。
【０００６】
以上の問題点に鑑みて、本発明の課題は、外光の存在する環境下であってもコントラストの高い表示を行うことが可能なエレクトロルミネッセンス装置、及び当該エレクトロルミネッセンス装置を搭載した電子機器を提供することにある。
【課題を解決するための手段】
【０００７】
上記課題を解決するために、本発明のエレクトロルミネッセンス装置は、少なくとも３種の異なる色のいずれかに対応する複数の画素を有するエレクトロルミネッセンス装置であって、第１の基板と、前記第１の基板上に形成された発光層及び当該発光層と前記第１の基板との間に形成された反射層を有する、前記第１の基板上に前記画素に対応して形成された複数の発光素子と、前記第１の基板の前記発光素子が形成された面に対向して、接着剤を介して前記第１の基板と貼り合わされた透光性を有する第２の基板と、前記第２の基板の対向面に前記画素に対応して形成された、前記画素に対応する色の染料を含む色要素とを有することを特徴とする。
【０００８】
このような構成のエレクトロルミネッセンス装置においては、第２の基板側から入射した外光は、発光素子の反射層で反射されて、色要素を透過した後に第２の基板側から射出される。ここで、当該色要素は、染料によって着色されたものであるので、顔料を用いた色要素と比較して平行線透過率が高く、光を散乱させにくい。このため、外光の反射光は、色要素を透過する際にほとんど散乱されずに透過し、観察者には視認されにくい。一方、発光素子の発光層で発光した光は、色要素を透過して、あるいは反射層で反射された後に色要素を透過して、第２の基板側から射出され、不要な散乱なく観察者に明瞭に視認される。上記構成のエレクトロルミネッセンス装置においては、外光及び発光素子からの光が上述のように振る舞うため、外光の反射光によって表示の視認性が悪化したり、黒表示部の輝度が上がって表示のコントラストが低下するといった不具合が起きにくい。すなわち、上記構成のエレクトロルミネッセンス装置は、外光の存在する環境下であってもコントラストの高い表示を行うことができる。
【０００９】
上記エレクトロルミネッセンス装置においては、前記第２の基板の前記色要素が形成された面とは反対側の面に、紫外線を吸収又は反射する保護層を有することが好ましい。このような構成によれば、第２の基板側から入射する紫外線を保護層において吸収又は反射させることができるので、紫外線が色要素に到達しにくい。このため、色要素の紫外線による劣化を防ぐことができる。
【００１０】
本発明のエレクトロルミネッセンス装置は、少なくとも３種の異なる色のいずれかに対応する複数の画素を有するエレクトロルミネッセンス装置であって、第１の基板と、前記第１の基板上に前記画素に対応して形成された、前記画素に対応する色の染料を含む色要素と、前記色要素上に形成された反射層及び当該反射層と前記色要素との間に形成された発光層を有する、前記色要素上に前記画素に対応して形成された複数の発光素子とを有することを特徴とする。
【００１１】
このような構成のエレクトロルミネッセンス装置においては、第１の基板の、発光素子が形成された面とは反対側の面（以下「観察側表面」とも呼ぶ）から入射した外光は、発光素子の反射層で反射されて、色要素を透過した後に第１の基板の観察側表面から射出される。ここで、当該色要素は、染料によって着色されたものであるので、顔料を用いた色要素と比較して平行線透過率が高く、光を散乱させにくい。このため、外光の反射光は、色要素を透過する際にほとんど散乱されずに透過し、観察者には視認されにくい。一方、発光素子の発光層で発光した光は、色要素を透過して、あるいは反射層で反射された後に色要素を透過して、第１の基板の観察側表面から射出され、不要な散乱なく観察者に明瞭に視認される。上記構成のエレクトロルミネッセンス装置においては、外光及び発光素子からの光が上述のように振る舞うため、外光の反射光によって表示の視認性が悪化したり、黒表示部の輝度が上がって表示のコントラストが低下するといった不具合が起きにくい。すなわち、上記構成のエレクトロルミネッセンス装置は、外光の存在する環境下であってもコントラストの高い表示を行うことができる。
【００１２】
上記エレクトロルミネッセンス装置においては、前記第１の基板の前記色要素が形成された面とは反対側の面に、紫外線を吸収又は反射する保護層を有することが好ましい。このような構成によれば、第１の基板の観察側表面から入射する紫外線を保護層において吸収又は反射させることができるので、紫外線が色要素に到達しにくい。このため、色要素の紫外線による劣化を防ぐことができる。
【００１３】
上記エレクトロルミネッセンス装置において、前記発光素子は、前記発光層を挟んで前記反射層の反対側に配置された、光反射性及び光透過性を有するハーフミラーをさらに有し、前記発光層で発光した光を前記反射層と前記ハーフミラーとの間で共振させて前記画素の色に対応する色の光を前記ハーフミラー側から取り出す光共振器構造を有することが好ましい。
【００１４】
このような構成によれば、発光素子からは、光共振器の共振条件に合う波長の光が選択的に取り出されるので、色純度の高い発光を行うことができる。一方、発光素子の外部からハーフミラーに入射した外光のうち、当該ハーフミラーで反射される光は、上記した光共振器から取り出される光とは互いに補色関係にあり、かつ画素に配置された色要素の透過スペクトルの色とも補色関係にあるため、当該色要素で吸収され、観察者からは視認されにくい。このように、上記構成のエレクトロルミネッセンス装置によれば、発光の色純度を高めることができるとともに、外光の反射をより低減することができるため、外光の存在する環境下であってもコントラストの高い表示を行うことができる。
【００１５】
上記エレクトロルミネッセンス装置において、前記少なくとも３種の異なる色は、赤系の色、緑系の色、青系の色の３色であることが好ましい。このような構成のエレクトロルミネッセンス装置によれば、赤系の色、緑系の色、青系の色の発光の組み合わせによるカラー発光、又はカラー表示を行うことができる。
【００１６】
本発明の電子機器は、上記エレクトロルミネッセンス装置を搭載したことを特徴とする。このような電子機器は、上記エレクトロルミネッセンス装置によって、外光の存在する環境下であってもコントラストの高い表示を行うことができる。
【発明を実施するための最良の形態】
【００１７】
以下、図面を参照し、本発明の実施形態について説明する。なお、以下に示す各図においては、各構成要素を図面上で認識され得る程度の大きさとするため、各構成要素の寸法や比率を実際のものとは適宜に異ならせてある。
【００１８】
（第１の実施形態）
図１は、「エレクトロルミネッセンス装置」としての有機ＥＬ装置１を示す概略断面図である。この図に示すように、有機ＥＬ装置１は、基板１０上に、反射層１２、絶縁層１４、陽極としての画素電極１６、正孔輸送層１８、有機発光層２０、電子輸送層２２、陰極２４、薄膜封止層２６がこの順に積層されてなる素子基板と、ガラス基板３０上に、赤、緑、青にそれぞれ対応する色要素３４Ｒ，３４Ｇ，３４Ｂ（以下では色要素３４Ｒ，３４Ｇ，３４Ｂをまとめて「色要素３４」とも呼ぶ）、及び遮光部材３２が形成されてなる封止基板とを接着剤２８を介して貼り合わせたものである。そして、ガラス基板３０の、色要素３４が形成された面とは反対側の面に、紫外線を吸収する保護フィルム３３が貼り付けられている。ここで、基板１０が本発明における「第１の基板」に、ガラス基板３０が「第２の基板」に、有機発光層２０が「発光層」に、陰極２４が「ハーフミラー」に、保護フィルム３３が「保護層」に、それぞれ対応する。有機ＥＬ装置１は、有機発光層２０において発光した光を封止基板側から取り出す構成のいわゆるトップエミッション型の発光装置であり、観察者は、ガラス基板３０の側から表示を観察する。上記のうち、反射層１２から陰極２４までの構成要素からなる素子が発光素子７０である。発光素子７０は、画素４０ごとに形成されている。
【００１９】
図２は、画素４０の形状及び配置について説明するための、有機ＥＬ装置１の拡大平面図である。以下では、図２中のＸ軸に平行な方向を行方向、Ｙ軸に平行な方向を列方向とも呼ぶ。この図に示すように、上記遮光部材３２は、Ｘ軸及びＹ軸に平行な直線状の要素から構成された格子状に形成されている。そして、当該遮光部材３２の格子が形作る矩形の領域のそれぞれが画素４０に対応する。すなわち、画素４０は、複数の行及び列に沿ってマトリクス状に配置されている。
【００２０】
各々の画素４０は、列方向に長い長方形をしており、行方向に沿って画素４０Ｂ，４０Ｇ，４０Ｒがこの順に連環するように配置されている。ここで、画素４０Ｂ，４０Ｇ，４０Ｒは、それぞれ青系の色の発光、緑系の色の発光、赤系の色の発光を行う画素４０である。各々の画素４０には、対応する色の色要素３４、すなわち色要素３４Ｂ，３４Ｇ，３４Ｒが形成されている。画素４０は、同色の画素４０同士が列をなすように配置されている。なお、上述の図１は、有機ＥＬ装置１を、画素４０を含む位置で図２中の行方向に沿って切断したときの断面図である。
【００２１】
以下、図１中の各構成要素について詳述する。基板１０は、ガラス基板や石英基板等の上に公知の技術を用いてＴＦＴ（Thin Film Transistor）素子や各種配線（ＴＦＴ素子を駆動するためのデータ線、走査線等）、絶縁膜等が形成された、いわゆるＴＦＴ素子基板である。反射層１２は、アルミニウム又は銀からなる。画素電極１６は、反射層１２上に、反射層１２との短絡を防止するためのＳｉＮからなる絶縁層１４を挟んで配置された、ＩＴＯ（Indium Tin Oxide）からなる透明電極である。画素電極１６は、各画素４０に一つずつ配置されており、それぞれの画素電極１６は、基板１０に含まれるＴＦＴ素子を介して、データ線（不図示）に接続されている。陰極２４は、マグネシウムと銀の合金をハーフミラー状態に形成したものであり、光反射性及び光透過性を兼ね備えている。
【００２２】
画素電極１６と陰極２４との間には、正孔輸送層１８、有機発光層２０、電子輸送層２２がこの順に積層されている。有機発光層２０は、エレクトロルミネッセンス現象を発現する有機発光物質の層である。画素電極１６と陰極２４との間に電圧を印加することによって、有機発光層２０には、正孔輸送層１８から正孔が、また、電子輸送層２２から電子が注入され、有機発光層２０においてこれらが再結合したときに発光が行われる。有機発光層２０からの光は、一部は直接陰極２４を透過し、一部は反射層１２によって反射されてから陰極２４を透過する。いずれにせよ、有機発光層２０からの光は、陰極２４を透過し、その後薄膜封止層２６、接着剤２８、色要素３４、ガラス基板３０を順に透過する。
【００２３】
ここで、反射層１２及び陰極２４は、いわゆる光共振器を構成している。このため、有機発光層２０において発せられた光は、反射層１２と陰極２４との間を往復し、共振波長の光だけが増幅されて封止基板側から取り出される。よって、ピーク強度が高く幅が狭いスペクトルを有する光を取り出すことができ、有機ＥＬ装置１による発光の色再現性を向上させることができる。
【００２４】
上記共振波長は、光共振器の長さを変えることによって調整可能である。有機ＥＬ装置１においては、画素電極１６の厚さを変えることによって光共振器の長さを調整している。より詳細には、画素４０Ｂ，４０Ｇ，４０Ｒにおいてこの順に画素電極１６を厚くしていく構成により、光共振器の長さ、及び共振波長がこの順に長くなるようになっている。具体的には、画素４０Ｂ，４０Ｇ，４０Ｒにおける画素電極１６の厚さはそれぞれ２０ｎｍ，５０ｎｍ，９０ｎｍとなっている。これにより、共振波長は、画素４０Ｂにおいては青色、画素４０Ｇにおいては緑色、画素４０Ｒにおいては赤色に相当する波長に設定される。この結果、陰極２４からは、共振波長に応じて青、緑、または赤の光が選択的に射出される。
【００２５】
陰極２４を覆って形成された薄膜封止層２６は、ＳｉＯＮからなる透光性を有する部材であり、有機ＥＬ素子７０を保護するとともに、光共振器の形成のためにできた陰極２４の段差を埋めて平滑にする役割を果たす。
【００２６】
ガラス基板３０上に形成された色要素３４は、入射した光のうちの特定の波長成分を吸収することによって透過光を着色する部材である。色要素３４は、着色のための材料として染料が用いられている。この染料としては、例えばアゾ染料、アントラキノン染料等といった有機染料を用いることができる。色要素３４は、染料によって着色された感光性樹脂を塗布し、フォトリソグラフィー法で所定のパターンに形成する工程を、色要素３４Ｒ，３４Ｇ，３４Ｂのそれぞれについて繰り返す分散法により形成される。各色要素３４の間の領域、すなわち画素４０の間の領域には、光をほとんど透過させない黒色の樹脂からなる遮光部材３２が形成されている。色要素３４は、エポキシ樹脂からなる接着剤２８を介して薄膜封止層２６と対向している。
【００２７】
色要素３４を配置することによって、有機ＥＬ装置１から取り出される光の色純度が向上するとともに、視野角による色の変化を抑えることができる。さらに、上記した光共振器との組み合わせによって、外光の反射をある程度抑えることができる。すなわち、外光の、陰極２４の表面における反射光は、反射層１２及び陰極２４からなる光共振器から取り出される表示光とは互いに補色関係にあり、かつ色要素３４の透過スペクトルの色とも補色関係にあるため、当該色要素である程度吸収され、遮断される。なお、外光のうち陰極２４を透過して反射層１２において反射された光は、上述した光共振器に入るため、有機発光層２０で発光した光と同様に、共振波長の光だけが陰極２４側から取り出される。
【００２８】
上記した染料を用いた色要素３４は、光を散乱させる粒子をほとんど含まないため、平行線透過率が高く、ヘイズ値は概ね０．５％以下である。一方、従来より一般的に用いられている顔料を用いた色要素３４Ｐ（図７（ａ）参照）は、これに含まれる顔料の粒子が光を散乱させるため、平行線透過率が低く、１〜２％程度のヘイズ値を有する。図３に、染料を用いた色要素３４の透過スペクトルと、顔料を用いた色要素３４Ｐの透過スペクトルを示す。図３中のスペクトル５１Ｂ，５１Ｇ，５１Ｒが、それぞれ染料を用いた色要素３４Ｂ，３４Ｇ，３４Ｒの透過スペクトルであり、スペクトル５２Ｂ，５２Ｇ，５２Ｒが、顔料を用いた色要素３４Ｐの透過スペクトルである。この図から分かるように、染料を用いた色要素３４の透過率は、顔料を用いた色要素３４Ｐの透過率より総じて高い。このことは、染料を用いた色要素３４の方が、より平行線透過率が高く、光を散乱させにくいことを示している。
【００２９】
ここで、図７を用いて、色要素３４を透過する光の振る舞いについて説明する。図７（ａ）は、従来の顔料を用いた色要素３４Ｐを備えた有機ＥＬ装置２の断面図、図７（ｂ）は、本発明による染料を用いた色要素３４を備えた有機ＥＬ装置１の断面図であり、いずれも、光の振る舞いに関係する一部の構成要素のみを拡大して示した模式的な断面図である。
【００３０】
図７（ａ）に示すように、有機ＥＬ装置２においては、有機発光層２０で発光した表示光５６、及び、外光の、陰極２４の表面における反射光５５は、ともに色要素３４Ｐを透過する際に一部が散乱され、散乱光５６Ｓ及び５５Ｓが生ずる。このため、例えば外光の正反射を避ける角度で有機ＥＬ装置２を観察している観察者であっても、色要素３４Ｐにおいて散乱された外光の一部を認識してしまうこととなる。外光の反射光５５の散乱光５５Ｓは、表示に寄与しない光であるので、本来の表示光５６とともに視認されると、表示の視認性が悪化したり、黒表示部の輝度が上がって表示のコントラストが低下するといった問題が生じる。
【００３１】
一方、図７（ｂ）に示す本発明の実施形態に係る有機ＥＬ装置１においては、表示光５６及び外光の反射光５５は、色要素３４を透過する際にほとんど散乱されない。このため、上述したような視認性の悪化やコントラストの低下といった問題が生じにくい。従って、染料を用いた色要素３４を備える有機ＥＬ装置１は、外光の存在する環境下であってもコントラストの高い表示を行うことができる。
【００３２】
図１に戻り、保護フィルム３３について説明する。保護フィルム３３は、ＴＡＣ（トリアセチルセルロース）フィルムに紫外線吸収能を添加したものである。図４に、保護フィルム３３の透過スペクトルを示す。この図からわかるように、保護フィルム３３は、波長４００ｎｍ以下の紫外線領域の光の大部分を吸収することができる。このため、ガラス基板３０の観察側表面から入射した紫外線が、色要素３４に到達するのを防止することができる。これにより、染料を用いた色要素３４が紫外線によって劣化するのを防ぐことができる。
【００３３】
（第２の実施形態）
続いて、図５の断面図を用いて本発明の第２の実施形態に係る有機ＥＬ装置１Ａについて説明する。有機ＥＬ装置１Ａは、封止基板については上記第１の実施形態の有機ＥＬ装置１と同じであるので、以下では素子基板の構成の相違点を中心に説明する。
【００３４】
図５に示すように、有機ＥＬ装置１Ａの素子基板は、基板１０上に、反射層１２、絶縁層１４、陽極としての画素電極１６、正孔輸送層１８、有機発光層２０、電子輸送層２２、陰極２４、薄膜封止層２６がこの順に積層されてなる。ここで、第１の実施形態の有機ＥＬ装置１との構成の違いは、画素電極１６の厚さがすべての画素４０において均一である点、及び陰極２４が透明なＩＴＯからなる点である。このため、発光素子７０は、光共振器が内包されたものではなく、単に有機発光層２０で発光した光を陰極２４側から取り出す構成となっている。すなわち、各発光素子７０は、同じ色相の光を発し、当該光は色要素３４を透過する際に着色されてカラー表示に寄与する。
【００３５】
こうした構成の有機ＥＬ装置１Ａにおいては、ガラス基板３０側から入射した外光は反射層１２によって反射される。しかし、こうした外光の反射光も、色要素３４の平行線透過率が高いために当該色要素３４を透過する際にはほとんど散乱されない。このため、本実施形態の有機ＥＬ装置１Ａにおいても、外光の散乱に起因する視認性の悪化やコントラストの低下といった問題が生じにくい。よって、有機ＥＬ装置１Ａは、外光の存在する環境下であってもコントラストの高い表示を行うことができる。
【００３６】
（第３の実施形態）
続いて、図６の断面図を用いて本発明の第３の実施形態に係る有機ＥＬ装置１Ｂについて説明する。有機ＥＬ装置１Ｂは、第１の実施形態に係る有機ＥＬ装置１と同じ構成要素を含むので、図６に示した構成要素のうち、図１の実施形態と同じ構成要素には同じ符号を付して示すことにして、その説明は省略する。
【００３７】
図６に示すように、有機ＥＬ装置１Ｂにおける素子基板は、基板１０上に、赤、緑、青にそれぞれ対応する色要素３４Ｒ，３４Ｇ，３４Ｂ、及び遮光部材３２が形成されており、この上に透明なオーバーコート３１、陽極としての画素電極１６、正孔輸送層１８、有機発光層２０、電子輸送層２２、陰極を兼ねた、アルミニウム又は銀からなる反射層２５が積層されてなる。有機ＥＬ装置１Ｂは、素子基板の上記構成要素が積層された面に対向して、接着剤２８を介してガラス基板３０を貼り合わせたものである。基板１０の、色要素３４が形成された面とは反対側の面には、紫外線を吸収する保護フィルム３３が貼り付けられている。有機ＥＬ装置１Ｂは、有機発光層２０において発光した光を素子基板側から取り出す構成のいわゆるボトムエミッション型の発光装置であり、観察者は、基板１０の側から表示を観察する。上記のうち、画素電極１６から反射層２５までの構成要素からなる素子が発光素子７０に相当する。発光素子７０及び色要素３４は、画素４０ごとに形成されている。遮光部材３２は、第１の実施形態の有機ＥＬ装置１と同様に、格子状に形成されており、当該遮光部材３２の格子が形作る矩形の領域のそれぞれが画素４０に対応する。
【００３８】
有機ＥＬ装置１Ｂにおいては、有機発光層２０で発光した光は、一部は直接画素電極１６を透過し、一部は反射層２５によって反射されてから画素電極１６を透過する。いずれにせよ、有機発光層２０からの光は、画素電極１６を透過し、その後オーバーコート３１、色要素３４、基板１０を順に透過する。
【００３９】
基板１０上に形成された色要素３４は、第１の実施形態の有機ＥＬ装置１と同様に、着色のための材料として染料が用いられている。このため、色要素３４は、平行線透過率が高く、発光素子７０からの光を散乱させにくい。よって、有機発光層２０で発光した表示光、及び基板１０側から入射し、反射層２５によって反射された外光は、色要素３４を透過する際にほとんど散乱されない。このため、外光の散乱に起因する視認性の悪化やコントラストの低下といった問題が生じにくい。従って、染料を用いた色要素３４を備える有機ＥＬ装置１Ｂは、外光の存在する環境下であってもコントラストの高い表示を行うことができる。
【００４０】
また、基板１０に貼り付けられた紫外線吸収能を有する保護フィルム３３によって、基板１０から入射した紫外線が、色要素３４に到達するのを防止することができる。これにより、染料を用いた色要素３４が紫外線によって劣化するのを防ぐことができる。
【００４１】
（電子機器への搭載例）
上述した有機ＥＬ装置１（有機ＥＬ装置１Ａ，１Ｂを含む）は、例えば、図８に示すような「電子機器」としての携帯電話機５００に搭載して用いることができる。携帯電話機５００は、表示部５１０及び操作ボタン５２０を有している。表示部５１０は、内部に組み込まれた有機ＥＬ装置１によって、操作ボタン５２０で入力した内容や着信情報を始めとする様々な情報について、外光の存在する環境下であっても高いコントラストで表示を行うことができる。
【００４２】
なお、本発明を適用した有機ＥＬ装置１は、上記携帯電話機５００の他、モバイルコンピュータ、デジタルカメラ、デジタルビデオカメラ、車載機器、オーディオ機器などの各種電子機器に用いることができる。
【００４３】
以上、本発明の実施形態について説明したが、上記実施形態に対しては、本発明の趣旨から逸脱しない範囲で様々な変形を加えることができる。変形例としては、例えば以下のようなものが考えられる。
【００４４】
（変形例１）
上記各実施形態は、色要素３４を分散法によって形成するものであるが、色要素３４の形成方法はこれに限られず、電着法、印刷法、染色法等によって形成してもよい。ここで、電着法は、基板上に透明導電膜を設け、染料により着色された帯電樹脂を含む溶液に浸漬して電圧を印加することにより、当該樹脂を透明導電膜上に堆積させるものである。また、印刷法は、染料により着色されたインクをオフセット印刷法を用いて基板上に転写するものである。また、染色法は、基板上に可染性の樹脂層をパターニングし、この樹脂層を染料によって染色するものである。これらの方法によって形成された色要素も、平行線透過率が高く光を散乱させにくいので、上記実施形態と同様の効果を得ることができる。
【００４５】
また、色要素３４には、平行線透過率に大きく影響しない範囲であれば、色相の微調整のために顔料を含有させることもできる。
【００４６】
（変形例２）
上記各実施形態において、保護フィルム３３は、紫外線吸収能を添加したＴＡＣフィルムであるが、本発明における保護層の実施の態様はこれに限られない。すなわち、例えば保護フィルム３３に代えて紫外線吸収能を備えた偏光板を用いることもできる。また、ガラス基板３０又は基板１０の表面に紫外線吸収能を有する薄膜を蒸着等の方法で形成するか、若しくは薄膜を形成した後に紫外線吸収能を添加してもよい。また、保護層としては、紫外線を反射する特性を有するフィルム又は薄膜等を用いることもできる。以上のような構成によっても、上記実施形態と同様の効果を得ることができる。
【００４７】
（変形例３）
上記各実施形態は、ガラス基板３０又は基板１０の表面に保護フィルム３３が配置された構成であるが、色要素３４が紫外線による劣化を受けにくい素材である場合、又は紫外線の入射のない環境で使用される場合（例えば、有機ＥＬ装置１を組み込んだ電子機器に紫外線吸収能を有する部材が含まれる場合）は、保護フィルム３３のない構成とすることもできる。
【００４８】
（変形例４）
上記第３の実施形態は、光共振器を用いず、単に有機発光層２０で発光した光を画素電極１６側から取り出す構成であるが、これに代えて、第１の実施形態の有機ＥＬ装置１と同様に、発光素子７０が光共振器を備える構成としてもよい。そのためには、例えば画素電極１６の厚さを、画素４０Ｂ，４０Ｇ，４０Ｒにおいてこの順に厚くし、当該画素１６とオーバーコート３１との間にハーフミラーを配置する構成とすればよい。こうした構成によっても、上記実施形態と同様の効果を得ることができる。
【００４９】
（変形例５）
上記各実施形態において、画素４０及び色要素３４は、赤、緑、青の３色に対応する構成であるが、これに代えて、４色以上の色に対応する構成としてもよい。例えば、赤、青、の２色に、青から黄までの色相の中で選択された２種の色を加えた４色に対応する構成とすることができる。後者の２色は、例えば緑及びシアンとすることができる。
【００５０】
（変形例６）
上記各実施形態において、有機発光層２０は、全ての画素４０で同一の色相の発光を行うものであるが、これに代えて、赤、緑、青の各色を発する有機発光層２０を用いた構成としてもよい。また、上記各実施形態において、発光素子７０に含まれる正孔輸送層１８、電子輸送層２２は、必要に応じて配置すればよく、必ずしも形成しなくてもよい。加えて、薄膜封止層２６も、接着剤２８が同様の機能を兼ねる場合は省略することができる。
【図面の簡単な説明】
【００５１】
【図１】第１の実施形態に係る有機ＥＬ装置の断面図。
【図２】第１の実施形態に係る有機ＥＬ装置の拡大平面図。
【図３】色要素の透過スペクトルを示す図。
【図４】保護フィルムの透過スペクトルを示す図。
【図５】第２の実施形態に係る有機ＥＬ装置の断面図。
【図６】第３の実施形態に係る有機ＥＬ装置の断面図。
【図７】（ａ）は、従来の構成の有機ＥＬ装置における光の振る舞いを示す図、（ｂ）は、本発明の実施形態に係る有機ＥＬ装置における光の振る舞いを示す図。
【図８】本発明の電子機器の実施形態に係る携帯電話機の模式斜視図。
【符号の説明】
【００５２】
１，１Ａ，１Ｂ，２…有機ＥＬ装置、１０…「第１の基板」としての基板、１２，２５…反射層、１４…絶縁層、１６…画素電極、１８…正孔輸送層、２０…「発光層」としての有機発光層、２２…電子輸送層、２４…「ハーフミラー」としての陰極、２６…薄膜封止層、２８…接着剤、３０…「第２の基板」としてのガラス基板、３１…オーバーコート、３２…遮光部材、３３…「保護層」としての保護フィルム、３４，３４Ｒ，３４Ｇ，３４Ｂ…色要素、４０，４０Ｒ，４０Ｇ，４０Ｂ…画素、７０…発光素子、５００…携帯電話機。
【図１】
2007234301.tif 000003
【図２】
2007234301.tif 000004
【図３】
2007234301.tif 000005
【図４】
2007234301.tif 000006
【図５】
2007234301.tif 000007
【図６】
2007234301.tif 000008
【図７】
2007234301.tif 000009
【図８】
2007234301.tif 000010